(57)【要約】【課題】トランプゲームやドミノゲーム、バランス積み木ゲームなどは、年少者や高齢者には難しいゲームも多く、遊具も別々に用意しなければならなかった。      また、平板片への印刷も耐久性の問題があった。  【解決手段】厚さ５ｍｍ以上、かつ長辺の長さの3分の１以下で、短辺が長辺の長さの略２分の１（４０〜６０％）である直方体の平板片の長方形の表面を長手方向に２分割して２組のトランプセット（デッキ）の２種類のトランプ様図柄を配置することにより、バランス積み木ゲームとドミノゲームやトランプゲーム、ドミノ倒しができる、年少者や高齢者なども楽しくプレーすることができる。  また、図柄の彫刻がレーザー加工における彫刻データではなく、切断データを使って、既定の切断焦点距離を２５％〜７５％デフォーカスして加工を行うことにより、加工コストを下げることが出来るばかりでなく、印字の耐久性が大幅に改善される。【選択図】  図４
2019000326.tif 000002
【特許請求の範囲】
【請求項１】
厚さ５ｍｍ以上、かつ長辺の長さの3分の１以下で、短辺が長辺の長さの略２分の１（４０〜６０％）である直方体の平板片（タイル）の長方形の表面に、４種類のマーク（スート）と１から１０〜１３のランク（マーク数または数字またはアルファベット文字）のトランプ様図柄を配したゲーム用具セット。
【請求項２】
長方形の表面を長手方向に２分割して２組のトランプセット（デッキ）の２種類のトランプ様図柄を配置し、すべて異なる図柄の組合せとなるようにした請求項１記載のゲーム用具セット。
【請求項３】
各タイルの２種類のトランプ様図柄が同じマーク、同じランク、絵札（Ｊ，Ｑ，Ｋ）どうしにならないように組み合わせた請求項２記載のゲーム用具セット。
【請求項４】
図柄の彫刻がレーザー加工における彫刻データではなく、切断データを使って、既定の切断焦点距離を２５％〜７５％デフォーカスして加工を行う請求項１から３のいずれかに記載されたゲーム用具セットの製造方法。
【発明の詳細な説明】
【技術分野】
【０００１】
本発明は、年少者や高齢者なども容易に楽しむことが出来るトランプカードやドミノ用具、バランス積み木などのゲーム用具セットの改良に関する。
【背景技術】
【０００２】
トランプゲームやドミノゲーム、バランス積み木ゲームなどは古くから楽しまれているが、年少者や高齢者には難しいゲームも多く、遊具も別々に用意しなければならなかった。
【０００３】
トランプカードでは特許文献１のように１枚のカードに２種類の図柄を配した例が開示されているが、その目的は勝ち札の可能性を増加させるためであった。
【０００４】
ゲーム用具への図柄の印刷は押し印、スクリーン印刷やインクジェット印刷などのインクや塗料を使った印刷が主であった。
【先行技術文献】
【特許文献】
【０００５】
【特許文献１】特表２００９−５０８５７２号  公報
【発明の概要】
【発明が解決しようとする課題】
【０００６】
トランプゲームのポーカーゲームなどはゲームの相手に手札を見られないようにするなどの注意が必要だが、年少者や高齢者には難しい。また、ゲームの役作りなども達成が難しいものが多い。
【０００７】
従来のドミノ牌は牌並べゲームなどとドミノ倒しが出来るだけであった。
【０００８】
従来のバランス積み木ゲームは「ＪＥＮＧＡ」などが知られているが、単に積み木を崩さずに、抜き取るだけのゲームが主であった。
【０００９】
従来の印刷では長年使用した場合消えるなどの問題があった。
【課題を解決するための手段】
【００１０】
厚さが5ｍｍ以上で、短辺が長辺の長さの略２分の１（４０〜６０％）である直方体の平板片（以下タイルと称す）の長方形の表面に、4種類のマーク（ハート、スペードなどのスート）と１から１０〜１３のランク（数字およびまたはアルファベット文字やマークの数）からなるトランプ様図柄を配置した。
【００１１】
また、長方形の表面を２分割して、２組のトランプセット（デッキ）の２種類のトランプ様図柄を長手方向の両端面が上側になるように配置し、すべて異なる図柄の組合せとなるようにした。さらに、２種類の図柄が同じマーク、同じランクの組合せ、絵札（J,Q,K）どうしにならないようした。
【００１２】
なお、タイルの一部の数をドミノゲームのルールに準じたトランプ様図柄（無柄はトランプの１０に変更）を配置すればトランプゲームの他にドミノゲームもプレー出来る。
【００１３】
ゲーム用具への図柄の印刷方法としてレーザー加工で刻印すれば優れた耐久性が得られる。レーザー加工のうち、彫刻データを使用すれば、加工時間が長くなり、切断データでは加工時間は短縮されるが、線幅が細くなる問題がある。
そこで、切断データを使って、照射距離を規定の焦点距離の２５％〜７５％デフォーカスすることにより、最適な線幅と深さを調整して短時間で彫刻加工する方法を見い出した。
【発明の効果】
【００１４】
本発明のゲーム用具を使用すれば、一つのゲーム用具セットでバランス積み木ゲームと、ドミノゲームやトランプゲームが年少者や高齢者を含めて楽しく遊べるようになるのである。
さらに、このタイルを使ってドミノ倒しも出来るのである。
また、ポーカーなどのトランプゲームをプレーすれば、例えば、5枚の手札で10枚分となるため、役作りが容易になり、手札を見られても覚えきれないため、年少者や高齢者でも楽しめるのである。
【００１５】
厚さが5ｍｍ以上で、短編が長辺のほぼ2分の1の直方体の表面を2分割して、2種類のトランプ様画面を配置したタイルを横向きに立てて、3個以上を1段として交互に高く積み上げる。出来たタワーからタワーを崩さないように、プレーするメンバーが順番にタイルを抜き取って手札とする。
ドミノゲームの場合はタイルをルールに従って場に並べて行く。
トランプゲームの場合は必要な手牌の数に達したら、不要なタイルはタワーの最上段に積み上げていく。このようにトランプカードのようなシャッフルも行う必要もなく、様々なトランプゲームを楽しむことができる。
【００１６】
高齢者や年少者がゲーム感覚で楽しみながらプレーすることで、脳の活性化や集中力、洞察力が向上し、指で摘んでプレーするためリハビリのトレーニング用具としても優れた効果を発揮する。
【００１７】
新しいレーザー加工方法により、加工コストを下げることが出来るばかりでなく、印字の耐久性が大幅に改善される。特に、素材が木材の場合にはこげ茶色となり、見栄えもよくなるのである。また、印字後に着色も出来る。
【図面の簡単な説明】
【００１８】
【図１】本発明のタイルの平面図
【図２】本発明の実施例１のタイルの平面図
【図３】本発明の実施例２のタイルの投影図
【図４】本明の実施例の概念図
【図５】本発明の図柄の組合せ表例
【発明を実施するための形態】
【００１９】
図１に本発明の実施の形態におけるタイルの一例の平面図を示す。
タイル（１）の形状は平板の直方体で、表面（２）の形状は長方形で、長辺の長さは特に規定しないが、４０ｍｍ〜１００ｍｍが好ましい。
厚さはドミノ倒しやバランス積み木で駒を立てることが出来るように５ｍｍ以上とし、長辺の長さの３分の1以下が好ましい。短辺の長さは長辺の長さの略２分の１（４０〜６０％）が好ましい。
【００２０】
タイル（１）の素材は紙、プラスチック、木材などが使用可能であるが、レーザー加工印字の場合は木材または木粉加工材などが好ましい。
【００２１】
トランプ様図柄（３）の4種類のマーク（３a）と1から10~13のランク（３b）の表し方は特に指定しないが、マーク（３a）はトランプのスート（ハート、スペードなど）またはその類似のイラストや果物など同類の形状が好ましく、ランク（３b）の表し方はスートの数または数字やアルファベット文字（A,J,Q,Kなど）が好ましい。
トランプ様図柄（３）のデザインは一般的なトランプと同様でもよいが、タイル（１）の形状が小さい場合はマーク（３a）は一つで、マークの中に数字やアルファベット文字を入れたり、数字やアルファベット文字にマークを組み込んだり、または並べて配すればさらに好ましい。
【００２２】
図柄（３）の印刷は従来の押し印、スクリーン印刷、インクジェット印刷などが使用できる。
スクリーン印刷の場合はマーク（３a）を外郭線を省いたカラーとし、中の数字を白抜きにすれば一回の刷りだけで印刷できる。
レーザー加工の場合は色彩なしでも、後で彩色してもよい。
【実施例１】
【００２３】
図２は本発明の実施例１のタイルの平面図である。
タイル（１）の形状は厚さ１２ｍｍ、長辺の長さ６０ｍｍ、幅３０ｍｍである。
タイルの数は５４枚で、そのうち、２８枚はドミノゲームのダブル６用のタイルで、中央を線で区切っている。これらはトランプゲームでも使われる。残りはトランプゲーム用の７〜１３のランクの図柄とジョーカー2枚である。
【００２４】
レーザー加工は切断加工の規定の焦点距離を50％ずらして行った。加工時間は３０Ｗの出力の３０％で約８分であった。
【実施例２】
【００２５】
図３は本発明の実施例２のタイルの投影図である。
タイル（１）の形状は厚さ１４ｍｍ、長辺の長さ７０ｍｍ、幅３０ｍｍである。
このタイルの表面（２）を長手方向に２分割して、２組のトランプセット（デッキ）の中の２種類のトランプ図柄（３）を配置した。
図５の例のように２種類の図柄（３）が同じランク（数または数字など）の組合せ、同じマーク（ハートなどのスート）、絵札（Ｊ，Ｑ，Ｋ）どうしにならないように組み合わせている。
タイル（１）の数は５４枚で、２組（デッキ）のトランプの４種類のマーク（３a）、各１〜１３のランク（３b）とジョーカー2枚からなっている。
【００２６】
ゲームの遊び方の1例を図４に示す。
まず、タイル（１）を横向きに5枚ずつ、交互に積み重ねてタワー（４）を作る。ポーカーゲームの場合は４人で順にタワーからタイルを1枚ずつ引き抜いて５枚の手札（５）を揃える。ここからは1枚ずつ順に引き抜いて、役作りをめざし、不要のタイルはタワーの最上段に置いていく。タイルの２種類の図柄（３）はどちらかを自由に選ぶことが出来る。タワーが崩れた時点、又は誰かが「オープン」を宣言すれば、手札（５）を見せ合って勝敗の順位を決める。タワー（４）を崩した人、又はオープン宣言した人の手が最上位でなければ最下位となる。
【産業上の利用可能性】
【００２７】
本発明のパズルゲームセットは、老人ホームやデイケア―センターなどの脳トレー二ング用遊具、病院などのリハビリ用具、学習塾や学校の教材、家庭での娯楽を兼ねた知育玩具、パーティなど一般の娯楽用ゲーム用具などとして利用できる。
【符号の説明】
【００２８】
１      本発明のタイル
２      タイルの表面
３      表面に記載された図柄の例
３a     マーク（スート）
３b     ランク（数字またはアルファベット文字など）
４      タワー
５      手札
【図１】
2019000326.tif 000003
【図２】
2019000326.tif 000004
【図３】
2019000326.tif 000005
【図４】
2019000326.tif 000006
【図５】
2019000326.tif 000007